(57)【特許請求の範囲】
【請求項１】
外壁がカーテンウォール構造をとっている鉄骨構造の建物において、鉄骨躯体の梁下の床下地材上に、内壁の窓開口部周りの断熱内壁下地を施工する方法であって、
矩形に枠組みされた木製下地枠の外面側に防湿シートが貼設されるとともに、この防湿シートの外面側であって、木製下地枠の枠外に、断熱材が貼設されてなる断熱内壁パネルによって、窓上および窓下のパネルを形成し、この窓上パネルおよび窓下パネルの木製下地枠を二本の縦柱間に釘打ち固定して窓開口部パネルとし、この窓開口部パネルの断熱材は、木製下地枠から縦柱の分だけ幅方向にはみ出すとともに、窓上パネルの上辺の木製下地枠と梁との間隙を充分に被覆することができるようにこの窓上パネルの上辺の木製下地枠から上方にはみ出した状態とし、この窓開口部パネルを、梁下の床下地材上に立設させた状態で、縦柱の内側および木製下地枠の枠内から釘打ちすることによって、隣接する断熱内壁パネルの木製下地枠や、床下地材に固定するとともに、木製下地枠の上辺に固定金具を介して梁下に固定することを特徴とする窓開口部の断熱内壁下地施工方法。
【発明の詳細な説明】
【０００１】
【発明の属する技術分野】
本発明は、窓開口部周りに断熱内壁下地を施工する方法に関するものである。
【０００２】
【従来の技術】
一般に、鉄骨構造の建物において、外壁がカーテンウォール構造をとっているような場合、内壁の施工に当たって、自立した下地材および断熱材の施工が必要となる。
【０００３】
そこで、従来より、図８に示すように、矩形に枠組みした木製下地枠ｂの枠内に断熱材ｃを設けるとともに、この木製下地枠ｂの室内側となる内面側に防湿シートｄを貼設して断熱内壁パネルａを構成し、この断熱内壁パネルａを施工することで、断熱内壁下地を構成することが行われている。
【０００４】
また、このような断熱内壁パネルａによって窓開口部の断熱内壁下地を形成する場合には、図９（ａ）に示すように、窓上および窓下に相当する大きさに形成した窓上パネルｅおよび窓下パネルｆを断熱内壁パネルａと同様に固定して窓開口部ｇを形成したり、図９（ｂ）に示すように、あらかじめ開口部ｈを形成した断熱内壁パネルｉを横並びに複数枚施工した後、開口部ｈを遮る縦柱ｊの部分を現場で切断して形成していた。
【０００５】
【発明が解決しようとする課題】
しかし、図９（ａ）に示すようにして窓開口部の断熱内壁下地を形成する場合、窓上パネルｅおよび窓下パネルｆを一体的に取り扱うことができず、これら窓上パネルｅおよび窓下パネルｆを個々に取付固定しなければならない。このうち、窓上パネルｅを固定する場合には、この窓上パネルｅを窓上の位置に保持した状態で取付固定しなければならないので人手がかかり、作業が煩わしくなる。
【０００６】
また、図９（ｂ）に示すようにして窓開口部の断熱内壁下地を形成する場合、断熱内壁パネルｉの施工とは別に、現場で縦柱ｊの切断作業をしなければならないので、作業が煩わしくなるといった不都合を生じる。
【０００７】
本発明は、係る実情に鑑みてなされたものであって、簡単に施工することができる窓開口部の断熱下地施工方法を提供することを目的としている。
【０００８】
【課題を解決するための手段】
上記課題を解決するための本発明の窓開口部の断熱内壁下地施工方法は、外壁がカーテンウォール構造をとっている鉄骨構造の建物において、鉄骨躯体の梁下の床下地材上に、内壁の窓開口部周りの断熱内壁下地を施工する方法であって、矩形に枠組みされた木製下地枠の外面側に防湿シートが貼設されるとともに、この防湿シートの外面側であって、木製下地枠の枠外に、断熱材が貼設されてなる断熱内壁パネルによって、窓上および窓下のパネルを形成し、この窓上パネルおよび窓下パネルの木製下地枠を二本の縦柱間に釘打ち固定して窓開口部パネルとし、この窓開口部パネルの断熱材は、木製下地枠から縦柱の分だけ幅方向にはみ出すとともに、窓上パネルの上辺の木製下地枠と梁との間隙を充分に被覆することができるようにこの窓上パネルの上辺の木製下地枠から上方にはみ出した状態とし、この窓開口部パネルを、梁下の床下地材上に立設させた状態で、縦柱の内側および木製下地枠の枠内から釘打ちすることによって、隣接する断熱内壁パネルの木製下地枠や、床下地材に固定するとともに、木製下地枠の上辺に固定金具を介して梁下に固定するものである。
【０００９】
【発明の実施の形態】
以下、本発明の実施の形態を図面を参照して説明する。
【００１０】
図１は断熱内壁パネル１および窓開口部パネル１０によって施工された断熱内壁下地を示している。
【００１１】
すなわち、この窓開口部の断熱内壁下地施工方法は、窓開口部パネル１０を、隣接する断熱内壁パネル１や床下地材７に釘８で固定するとともに、固定金具９を介して梁５に固定して自立した断熱内壁下地を形成するものである。
【００１２】
断熱内壁パネル１は、図２および図３に示すように、木製下地枠２の外面側に防湿シート３が貼設されるとともに、この防湿シート３の外面側に断熱材４が貼設されて構成されている。
【００１３】
木製下地枠２は、縦桟材２１と横桟材２２とを矩形に枠組みして構成されている。また、縦桟材２１間には、横桟材２２と平行する複数の中桟材２３が設けられて木製下地枠２全体が補強されている。この木製下地枠２は、中桟材２３に配線孔２０が設けられており、この配線孔２０を利用して木製下地枠２内に自由に配線（図示省略）を取りまわせるようになされている。また、木製下地枠２のうち、室内側となる内面側であって、上辺の横桟材２２に隣接した位置には、この木製下地枠２の内面側と面一となるように、上辺の横桟材２２と直交して天井下地取付桟材２４が設けられている。さらに、木製下地枠２の端面の内、一方の縦桟材２１の外面寄りの位置に、この縦桟材２１に沿って気密材２５が設けられている。
【００１４】
防湿シート３は、木製下地枠２の外面側全体に貼設される。この防湿シート３としては、アルミニウム蒸着したポリエチレン製フィルムを使用することができる。
【００１５】
断熱材４は、上記防湿シート３の外面側であって、木製下地枠２の枠外に貼設される。この断熱材４は、木製下地枠２と略同じ大きさに貼設されるが、断熱内壁パネル１を施工した状態で、木製下地枠２の上辺の横桟材２２と梁５との間隙を充分に被覆することができるように、木製下地枠２の上辺の横桟材２２から、かなり上方にはみ出した状態となるように貼設される。また、幅方向にも、木製下地枠２よりも気密材２５の分だけはみ出した状態となるように貼設される。この断熱材４としては、例えば、フィルム包装された高密度グラスウール製の断熱材４を使用することができる。この断熱材４は、木製下地枠２の外面側に当接した状態で、この木製下地枠２に、鋲４１によって固定される。この断熱材４は、木製下地枠２に対して一体となった一つの断熱材４を貼設するものであっても良いし、複数の断熱材４を貼設するものであっても良い。
【００１６】
図４に示すように、窓開口部パネル１０は、上記断熱内壁パネル１と同様の構成で、それぞれ窓上および窓下に対応した形状となされた窓上パネル１ａおよび窓下パネル１ｂを、二本の縦柱６間に固定して構成される。また、この縦柱６に固定した状態で、この縦柱６の背面を断熱材４が被覆するように、あらかじめこの窓上パネル１ａおよび窓下パネル１ｂには、縦柱６の分だけ幅方向に断熱材４がはみ出した状態となされている。また、縦柱６のうちの一方の縦柱６の外面寄りの位置には、上記断熱内壁パネル１と同様に、この縦柱６に沿って気密材２５が設けられている。
【００１７】
このようにして構成される断熱内壁パネル１および窓開口部パネル１０は、梁５の直下の床下地材７の上に立設する。そして、それぞれの木製下地枠２の枠内から、下辺の横桟材２２に釘８を打ちつけて、この横桟材２２を床下地材７に固定する。
【００１８】
また、図５および図６に示すように、隣接する断熱内壁パネル１の縦桟材２１と窓開口部パネル１０の縦柱６との間隙に、木板片からなるスペーサ８０を介在させて、この縦桟材２１と縦柱６とを釘８で固定する。この際、縦桟材２１と縦柱６との間隙には、気密材２５が介在するので、スペーサ８０としては、気密材２５による気密性を保つために、この気密材２５よりも若干幅の狭いものを使用する。また、スペーサ８０は、釘８の位置にだけ介在する木板片であっても良いし、縦桟材２１の長さに相当し、間隙全体に介在するようになされた帯板状のものであっても良い。
【００１９】
さらに、上辺の横桟材２２に固定金具９を取り付け、この固定金具９を梁５に固定する。
【００２０】
このようにして施工される断熱内壁下地は、個別となっていた窓上パネル１ａおよび窓下パネル１ｂを、二本の縦柱６間に固定して窓開口部パネル１０とすることで、この窓開口部パネル１０を通常の断熱内壁パネル１と同様に扱うことができることとなるので、簡単に施工することができる。
【００２１】
また、断熱内壁パネル１および窓開口部パネル１０は、木製下地枠２の枠内に断熱材４が無いので、この空隙となった枠内から釘８を打ちつけることによって簡単に何処へでも固定することができる。また、窓開口部パネル１０自身も、窓上パネル１ａおよび窓下パネル１ｂが、このような構成をとっているため、これら窓上パネル１ａおよび窓下パネル１ｂを、二本の縦柱６間に釘８で固定することによって簡単に構成することができ、窓開口部パネル１０として一体に取り扱って効率良く施工することができる。
【００２２】
なお、窓開口部パネル１０の横幅としては、特に限定されるものではなく、窓開口部に合わせた各種形状の窓上パネル１ａおよび窓下パネル１ｂを二本の縦柱６間に釘８で固定して構成することができる。また、縦柱６は、木製下地枠２を構成する縦桟材２１と同じものを利用することができる。
【００２３】
また、窓上パネル１ａおよび窓下パネル１ｂについても、木製下地枠２の外側に防湿シート３が貼設され、さらにその外面側に断熱材４が設けられた断熱内壁パネル１と同様の構成のものであれば、特にその大きさを限定されるものではない。また、この場合、窓上パネル１ａおよび窓下パネル１ｂの木製下地枠２は、大きさに応じて適宜に中桟材２３が設けられても良い。さらに、窓上パネル１ａは、図７に示すように、横桟材２２に溝部２２ａを設け、この溝部２２ａ間に、カーテンレール（図示省略）を取り付けるための補強合板２６を嵌め込んで釘８で固定したものであっても良い。同様に、窓下パネル１ｂについても、必要に応じてこのような補強合板２６が設けられたものであっても良い。
【００２４】
さらに、本実施の形態における断熱内壁パネル１、窓上パネル１ａおよび窓下パネル１ｂの木製下地枠２については、特に木製のものに限定されず、鋼製のものであっても良い。また、縦柱６についても鋼製のものであっても良い。ただし、この場合、釘８を打ち付けて固定できるように、釘８を打ち付ける位置に釘孔（図示省略）などをあらかじめ形成しておくなどの考慮をしておかなければならない。
【００２５】
【発明の効果】
以上述べたように、本発明によると、窓上および窓下に合わせて形成した窓上パネルおよび窓下パネルの木製下地枠を二本の縦柱間に釘打ち固定して窓開口部パネルとしているので、この窓開口部パネルを、縦柱の内側および木製下地枠の枠内から釘打ちすることによって、通常の断熱内壁パネルと同様に簡単に施工することが可能となる。
【００２６】
また、このように窓上パネルと窓下パネルとを縦柱で固定して窓開口部パネルとして一体的に取り扱うことで施工作業の高効率化を図ることができる。
【００２７】
さらに、この窓開口部パネルの窓上パネルと窓下パネルとは、矩形に枠組みされた木製下地枠の外面側に防湿シートが貼設されるとともに、この防湿シートの外面側であって、木製下地枠の枠外に、断熱材が貼設されているため、木製下地枠の枠内に断熱材が無く空隙となっているので、釘打ち固定によって簡単に縦柱に固定して窓開口部パネルとすることができる。
【図面の簡単な説明】
【図１】断熱内壁下地の全体構成の概略を示す部分斜視図である。
【図２】断熱内壁下地の施工に使用される断熱内壁パネルの全体構成の概略を示す分解斜視図である。
【図３】（ａ）ないし（ｃ）は、断熱内壁下地の施工に使用される断熱内壁パネルの全体構成の概略を示す平面図、正面図および側面図である。
【図４】（ａ）ないし（ｃ）は、断熱内壁下地の施工に使用される窓開口部パネルの全体構成の概略を示す平面図、正面図および側断面図である。
【図５】断熱内壁パネルと窓開口部パネルとの施工状態を示す部分拡大図である。
【図６】断熱内壁パネルと窓開口部パネルとの施工状態を示す部分断面図である。
【図７】窓上パネルの他の実施の形態を示す断面図である。
【図８】（ａ）および（ｂ）は、従来の断熱内壁パネルを示す平面図および正面図である。
【図９】（ａ）および（ｂ）は、従来の窓開口部の断熱内壁下地の施工状態を示す概略正面図である。
【符号の説明】
１  断熱内壁パネル
１ａ  窓上パネル
１ｂ  窓下パネル
１０  窓開口部パネル
２  木製下地枠
３  防湿シート
４  断熱材
５  梁
６  縦柱
７  床下地材
８  釘
９  固定金具
【図１】
0003571485.tif 000002
【図２】
0003571485.tif 000003
【図３】
0003571485.tif 000004
【図４】
0003571485.tif 000005
【図５】
0003571485.tif 000006
【図６】
0003571485.tif 000007
【図７】
0003571485.tif 000008
【図８】
0003571485.tif 000009
【図９】
0003571485.tif 000010